(57)【要約】【課題】  連結器具により連結させた全ての携帯型端末に対して、電源供給とデータ転送を一括で行うことを可能とする連結器具、電源及び情報供給システム等を提供する。【解決手段】  データを配信するサーバ１０５と、ショッピングカート１０２に備えられる携帯型端末１０３とが連結器具１０１を介して接続され、電源１０６と携帯型端末１０３とが連結器具１０１を介して電気的に接続され、連結器具１０１は、携帯型端末１０３に電源供給を行う為の電源ケーブルと、携帯型端末１０３とサーバ１０５間でデータ転送を行う為の通信ケーブルと、を有し、電源ケーブルの端に電源コネクタと、通信ケーブルの端に通信コネクタとを備え、連結器具１０１により、連結された全ての携帯型端末１０３に電源供給を行い、サーバ１０５から全ての携帯型端末１０３にデータを送信する。【選択図】  図１
2007089924.tif 000002
【特許請求の範囲】
【請求項１】
移動体に備えられる携帯型端末に接続され、他の移動体に備えられる携帯型端末に接続される連結器具に連結される連結器具であって、
前記携帯型端末に電気的に接続され、電源供給する為の電源ケーブルと、前記携帯型端末に接続され、前記携帯型端末とサーバ間でデータ転送を行う為の通信ケーブルと、を有し、前記電源ケーブルの端に電源コネクタと、前記通信ケーブルの端に通信コネクタとを備え、
前記連結器具同士の前記電源コネクタと前記通信コネクタを夫々連結することにより、連結された全ての前記携帯型端末に電源供給を行い、且つ、前記サーバから全ての前記携帯型端末にデータ転送を行うことを特徴とする連結器具。
【請求項２】
電源供給、又はデータ転送中には、前記連結器具は、ロックされていることを特徴とする請求項１記載の連結器具。
【請求項３】
前記移動体は、店舗内において商品を格納し、運搬するショッピングカート又は物品の搬送カートであることを特徴とする請求項１記載の連結器具。
【請求項４】
データを配信するサーバと移動体に備えられる携帯型端末とが連結器具を介して接続され、電源と前記携帯型端末とが前記連結器具を介して電気的に接続される電源及び情報供給システムであって、
前記連結器具は、
前記携帯型端末に電気的に接続され、電源供給する為の電源ケーブルと、前記携帯型端末に接続され、前記携帯型端末とサーバ間でデータ転送を行う為の通信ケーブルと、を有し、前記電源ケーブルの端に電源コネクタと、前記通信ケーブルの端に通信コネクタとを備え、
前記連結器具同士の前記電源コネクタと前記通信コネクタを夫々連結することにより、連結された全ての前記携帯型端末に電源供給を行い、且つ、前記サーバから全ての前記携帯型端末にデータ転送を行うことを特徴とする電源及び情報供給システム。
【請求項５】
前記サーバは、任意の前記携帯型端末にデータ転送を行うことを特徴とする請求項４記載の電源及び情報供給システム。
【請求項６】
電源供給は、指定時間帯に行うことを特徴とする請求項４記載の電源及び情報供給システム。
【発明の詳細な説明】
【技術分野】
【０００１】
本発明は、連結器具、及び、電源及び情報供給システムに係り、特に、ショッピングカート等の移動体に取り付けた携帯型端末へのデータ転送と電源供給に関する。
【背景技術】
【０００２】
近年、商店およびショッピングセンターなどのセルフサービスの形態で陳列した商品の販売を行う店舗において、購入する商品を入れて運搬するショッピングカートなどに表示装置を設け、店舗内情報の伝達を行う店舗情報配信システムがある（例えば、特許文献１参照）。
【０００３】
【特許文献１】特開２００５−３１９９１号公報
【発明の開示】
【発明が解決しようとする課題】
【０００４】
しかしながら、従来の店舗情報配信システムでは、店舗などの携帯型端末を備えるショッピングカートにおいて、携帯型端末をショッピングカートから取り外し充電等を行い、電源の供給と、サーバからのデータ転送は１台ずつ行う必要があり、コストと時間がかかり、効率的ではないという問題があった。
【０００５】
本発明は、以上の点に鑑みてなされたものであり、連結器具により連結させた全ての携帯型端末に対して、電源供給とデータ転送を一括で行うことを可能とする連結器具、電源及び情報供給システム等を提供することを目的とする。
【課題を解決するための手段】
【０００６】
前述した目的を達成するために第１の発明は、移動体に備えられる携帯型端末に接続され、他の移動体に備えられる携帯型端末に接続される連結器具に連結される連結器具であって、前記携帯型端末に電気的に接続され、電源供給する為の電源ケーブルと、前記携帯型端末に接続され、前記携帯型端末とサーバ間でデータ転送を行う為の通信ケーブルと、を有し、前記電源ケーブルの端に電源コネクタと、前記通信ケーブルの端に通信コネクタとを備え、前記連結器具同士の前記電源コネクタと前記通信コネクタを夫々連結することにより、連結された全ての前記携帯型端末に電源供給を行い、且つ、前記サーバから全ての前記携帯型端末にデータ転送を行うことを特徴とする連結器具である。
【０００７】
また、電源供給、又はデータ転送中には、前記連結器具は、ロックされていることが望ましい。
【０００８】
第１の発明による連結器具は、移動体に備えられる携帯型端末に接続され、他の移動体に備えられる携帯型端末に接続される連結器具に連結される連結器具であって、携帯型端末に電気的に接続され、電源供給する為の電源ケーブルと、携帯型端末に接続され、携帯型端末とサーバ間でデータ転送を行う為の通信ケーブルと、を有し、電源ケーブルの端に電源コネクタと、通信ケーブルの端に通信コネクタとを備え、連結器具同士の電源コネクタと通信コネクタを夫々連結することにより、連結された全ての携帯型端末に電源供給を行い、且つ、サーバから全ての携帯型端末にデータ転送を行う。
【０００９】
「移動体」は、店舗内において商品を格納し、運搬するショッピングカートや、積みおろしすべき荷物の搬送カートである。
「連結器具」は、盗難防止のために使用され、移動体に備えられ、他の移動体に備えられる連結器具に連結される。
【００１０】
第１の発明では、ショッピングカートに携帯型端末を取り付けた状態で、一括して電源供給と、データ転送を行うことが可能となり、担当者の負荷がかからず、使用されていない夜間等に一括して電源供給することにより、電力が夜間料金となり、コストが削減可能となる。
【００１１】
また、第２の発明は、データを配信するサーバと、移動体に備えられる携帯型端末と、が連結器具を介して接続され、電源と、前記携帯型端末と、が前記連結器具を介して電気的に接続される電源及び情報供給システムであって、前記連結器具は、前記携帯型端末に電気的に接続され、電源供給する為の電源ケーブルと、前記携帯型端末に接続され、前記携帯型端末とサーバ間でデータ転送を行う為の通信ケーブルと、を有し、前記電源ケーブルの端に電源コネクタと、前記通信ケーブルの端に通信コネクタとを備え、前記連結器具同士の前記電源コネクタと前記通信コネクタを夫々連結することにより、連結された全ての前記携帯型端末に電源供給を行い、且つ、前記サーバから全ての前記携帯型端末にデータ転送を行うことを特徴とする電源及び情報供給システムである。
【００１２】
第２の発明は、第１の発明の連結器具と、データを配信するサーバと、通信データ転送及び電源供給される携帯型端末から構成される電源及び情報供給システムに関する発明である。
【００１３】
上述のプログラムをＣＤ−ＲＯＭ等の記録媒体に保持させて流通させてもよいし、このプログラムを通信回線を介して送受することもできる。
【発明の効果】
【００１４】
本発明は、以上の点に鑑みてなされたものであり、連結器具により連結させた全ての携帯型端末に対して、電源供給とデータ転送を一括で行うことを可能とする連結器具、電源及び情報供給システム等を提供することができる。
【発明を実施するための最良の形態】
【００１５】
以下に、添付図面を参照しながら、本発明に係る連結器具、電源及び情報供給システム等の好適な実施形態について詳細に説明する。尚、以下の説明および添付図面において、略同一の機能構成を有する構成要素については、同一の符号を付することにより重複説明を省略することにする。
【００１６】
図１は、本実施の形態に係る電源及び情報供給システム１００の概略構成を示す図である。図１は、電源及び情報供給システム１００の一例であり、図１に示すように、電源及び情報供給システム１００は、複数のショッピングカート１０２−１、１０２−２、１０２−３に備える連結器具１０１−１、１０１−２、１０１−３と、各連結器具１０１−１、１０１−２、１０１−３に接続される複数の携帯型端末１０３−１、１０３−２、１０３−３と、モデム１０４、サーバ１０５、電源１０６、電源ケーブル１０７、通信ケーブル１０８、ケーブル１０９等からなる。
【００１７】
電源及び情報供給システム１００は、例えば、ローカルネットワーク（ＬＡＮ）の通信ケーブル１０８、連結器具１０１を介して、携帯型端末１０３と、サーバ１０５とが接続され、電源ケーブル１０７、連結器具１０１を介して、携帯型端末１０３と電源１０６とが電気的に接続されて構成される。電源ケーブル１０７と通信ケーブル１０８とは結線され、ケーブル１０９に接続される。
【００１８】
サーバ１０５はパーソナルコンピュータ等であり、連結された全ての携帯型端末１０３−１、１０３−２、１０３−３等や任意に指定された携帯型端末１０３にデータ転送を行う。
モデム１０４は、通信用のアダプタであり、サーバ１０５、電源１０６と接続する。
【００１９】
図２は、ショッピングカート１０２の外観を示す図である。
図２を示すように、ショッピングカート１０２は、店舗内において商品を格納し、運搬する移動体であり、例えば、商店およびショッピングセンターなどのセルフサービスの形態で陳列した商品の販売を行う店舗において、購入する商品を入れて運搬する。ショッピングカート１０２は、連結器具１０１、携帯型端末１０３等を備える。
【００２０】
連結器具１０１は、盗難防止等の使用に加え、ショッピングカート１０２同士を連結ロックし、携帯型端末１０３にデータ転送、及び電源供給を行う。
携帯型端末１０３は、利用者に対して、サーバ１０５から要求に応じた各種情報の提供（受信、表示）を行う。例えば、携帯型端末１０３は、店舗内の商品に関する商品関連情報等の提供（受信、表示）を行う。
【００２１】
図３は、ショッピングカート１０２−１、１０２−２、１０２−３の連結を示す図である。
図３に示すように、使用済みのショッピングカート１０２を店舗内の所定の場所に戻し、列の最端部となっているショッピングカート１０２−２の連結器具１０１−２を使用後のショッピングカート１０２−１の連結器具１０１−１に連結することにより、複数の携帯型端末１０３−１、１０３−２、１０３−３は、連結された連結器具１０１−１、１０１−２、１０１−３、ケーブル１０９を介して、モデム１０４に接続され、更に、サーバ１０５、電源１０６に接続される。
【００２２】
次に、図４、図５、図６、図７を参照しながら、連結器具１０１の構成について詳しく説明する。
【００２３】
図４は、本実施の形態に係る連結器具１０１の外観斜視図を示す。
連結器具１０１は、受取コネクタ部１１０、出力コネクタ部１２０、ケーブル１３０等からなる。受取コネクタ部１１０と出力コネクタ部１２０は、ケーブル１３０で接続されている。
受取コネクタ部１１０は、通信ケーブル１０８、電源ケーブル１０７を備え、携帯型端末１０３に接続する。受取コネクタ部１１０上面には、ロック解除凸部１１５を備え、ロック解除凸部１１５は、他の同じショッピングカート１０２の連結器具１０１との連結ロックを解除するために設けられており、ロック解除凸部１１５を押し込むことにより、連結ロックされている他のショッピングカート１０２の連結器具１０１における出力コネクタ部１２０のロック穴部１２４に押し込まれ、連結ロックを機械的に解除する。
【００２４】
ロック機構は、連結器具１０１の受取コネクタ部１１０に、他の連結器具１０１の出力コネクタ部１２０が差し込まれることにより完全に接合された時に、自動的にロックされる。
また、ショッピングカート１０２を利用するときには、ショッピングカート１０２の連結器具１０１に所定のコインを投入することにより、コインが取り出し不能に収容されると共に、隣接するショッピングカート１０２との連結ロックが解除されて最端部のショッピングカート１０２が利用可能になり、利用済みのショッピングカート１０２を所定の場所に戻し、列の最端部となっているショッピングカート１０２の連結器具１０１を使用後のショッピングカート１０２の連結器具１０１につなぐと、投入したコインが返却され、ロックされるようにしてもよい。
【００２５】
出力コネクタ部１２０は、通信用コネクタ１２１、電源コネクタ１２２、ロック穴部１２４等を有する。通信用コネクタ１２１は、ケーブル１３０内の通信ケーブル１１８の先端に備え、他の連結器具１０１の受取コネクタ部１１０の通信用コネクタ１１１と連結する。同様に、電源コネクタ１２２は、ケーブル１３０内の電源ケーブル１１７の先端に備え、他の連結器具１０１の受取コネクタ部１１０の電源コネクタ１１２と連結する。ロック穴部１２４は、連結ロック／ロック解除のために設けられており、前述したように、他のショッピングカート１０２の連結器具１０１のロック解除凸部１１５をロック穴部１２４に押し込むことにより、ロック解除される。出力コネクタ部１２０の表面には、絶縁素材１２３を設ける。
【００２６】
図５は、受取コネクタ部１１０の透視斜視図である。
受取コネクタ部１１０内部には、通信用コネクタ１１１、電源コネクタ１１２、モデム１１４、通信ケーブル１０８、１１８、電源ケーブル１０７、１１７等が設けられ、通信用コネクタ１１１と通信ケーブル１１８、１０８がモデム１１４を介して接続され、電源コネクタ１１２と電源ケーブル１１７、１０７が接続される。通信ケーブル１１８、電源ケーブル１１７は結線されケーブル１３０に接続される。通信ケーブル１０８と電源ケーブル１０７は、携帯型端末１０３に接続され、電源供給、データ転送を行う。
尚、モデム１１４の設置箇所は、本実施の形態では、連結器具１０１の受取コネクタ部１１０内に設けたが、これに限らない。例えば、携帯型端末１０３に内蔵してもよい。
【００２７】
図６は、図５のＸ−Ｘによる通信用コネクタ１１１の断面図である。
通信用コネクタ１１１は、他の連結器具１０１の通信用コネクタ１２１と接続することにより、サーバ１０５とのデータ通信を行うことを可能とするものであり、ゴム等からなる絶縁体１３１、電気を通す導体からなる金属板１３２、ピン形状の接続端子であるピンジャック１３３、バネ１３４等を備える。
【００２８】
図７は、通信用コネクタ１１１と通信用コネクタ１２１の接合を示す断面図である。
連結器具１０１の受取コネクタ部１１０に、他の連結器具１０１の出力コネクタ部１２０が差し込まれることにより、通信用コネクタ１１１の凹部１３５に、他の連結器具１０１の通信用コネクタ１２１が奥まで完全に差し込まれ、金属板１３２が絶縁体１３１から離れ、開放されて通信ケーブル１０８にデータが流れることを可能とする。
【００２９】
また、同様に、電源コネクタ１１２と電源コネクタ１２２の接合を行い、電源ケーブル１０７に電力が流れることを可能とする。
【００３０】
次に、図８を参照しながら、携帯型端末１０３のハードウェア構成と携帯型端末１０３と連結器具１０１との接続を説明する。
図８は、携帯型端末１０３のハードウェア構成と携帯型端末１０３と連結器具１０１との接続を示す図である。
【００３１】
携帯型端末１０３は、制御部２０１、記憶部２０２、通信制御部２０４、入力部２０５、表示部２０６、電源制御部２０７、バッテリー２０８等が、バス２０９を介して接続されて構成される。
【００３２】
制御部２０１は、ＣＰＵ、ＲＯＭ、ＲＡＭ等で構成され、記憶装置２０２に格納されたプログラムに従って、各装置を駆動制御する。
【００３３】
記憶部２０２には、各構成部分を駆動制御する制御プログラム、更に、運用形態に応じて、アプリケーションプログラムとして、予め、サーバ１０５からダウンロードしたサーバ１０５からの各種情報の提供処理等の実行可能プログラムが格納されている。
【００３４】
これらの各プログラムコードは、制御部２０１により必要に応じて読み出されてＲＡＭに移され、ＣＰＵに読み出されて各種の手段として実行される。
【００３５】
通信制御部２０４は、携帯型端末１０３と通信ケーブル１０８間の通信を媒介する通信インタフェースであり、通信ケーブル１０８を介して、携帯型端末１０３と、サーバ１０５間の通信制御を行う。
【００３６】
入力部２０５は、データの入力を行い、例えば、タッチパネル、操作キー、操作ボタン等であり、表示部２０６（液晶ディスプレイ）に表示された操作案内、各種処理、操作を行う。
【００３７】
電源制御部２０７は、バッテリー２０８に接続され、電源ケーブル１０７を介して、電源供給されたバッテリー２０８内の電力を、携帯型端末１０３内の各部に供給制御する。
【００３８】
次に、図９を参照しながら、サーバ１０５のハードウェア構成を説明する。
図９は、サーバ１０５のハードウェア構成図である。
【００３９】
サーバ１０５は、制御部３０１、記憶部３０２（ハードディスク）、メディア入出力部３０３（ドライブ装置）、通信制御部３０４（通信制御装置、通信ポート等）、入力部３０５（キーボード、マウス等）、プリンタポート３０６、表示部３０７（ディスプレイ）等が、バス３０９を介して接続されて構成される。
【００４０】
制御部３０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００４１】
ＣＰＵは、記憶部３０２、ＲＯＭ、記録媒体等に格納されるプログラムをＲＡＭ上のワークメモリ領域に呼び出して実行し、システムバス３０９を介して接続された各装置を駆動制御し、サーバ１０５が行うデータ配信処理等を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部３０２、ＲＯＭ、記録媒体等からロードしたプログラム、データ等を一時的に保持するとともに、制御部３０１が各種処理を行う為に使用するワークエリアを備える。
【００４２】
記憶部３０２は、ＨＤＤ（ハードディスクドライブ）であり、制御部３０１が実行するプログラム、プログラム実行に必要なデータ、ＯＳ（オペレーティングシステム）等が格納される。プログラムに関しては、ＯＳ（オペレーティングシステム）に相当する制御プログラムや、本コンピュータを適用するサーバ１０５が行うアプリケーションプログラム等が格納されている。アプリケーションプログラムは、携帯型端末１０３へのデータ配信処理等の実行可能プログラムである。
これらの各プログラムコードは、制御部３０１により必要に応じて読み出されてＲＡＭに移され、ＣＰＵに読み出されて各種の手段として実行される。
【００４３】
メディア入出力部３０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００４４】
通信制御部３０４は、通信制御装置、通信ポート等を有し、サーバ１０５と通信ケーブル１０８のネットワーク間の通信を媒介する通信インタフェースであり、通信ケーブル１０８を介して、サーバ１０５と、携帯型端末１０３−１、１０３−２、１０３−３間の通信制御を行う。
【００４５】
入力部３０５は、データの入力を行い、例えば、キーボード、マウス等のポインティングデバイス、テンキー等の入力装置を有する。
【００４６】
表示部３０６は、ＣＲＴモニタ、液晶パネル等のディスプレイ装置、ディスプレイ装置と連携してコンピュータのビデオ機能を実現するための論理回路等（ビデオアダプタ等）を有する。
印刷部３０７は、プリンタであり、印刷出力処理を行う。
【００４７】
システムバス３０９は、各装置間の制御信号、データ信号等の授受を媒介する経路である。
【００４８】
次に、図１０を参照しながら、本発明の実施形態に係る電源及び情報供給システム１００の携帯型端末１０３への電源及び情報供給処理の処理手順について説明する。図１０は、携帯型端末１０３への電源及び情報供給処理の処理手順を示すフローチャートである。
【００４９】
ショッピングカート１０２−１を返却する際、ショッピングカート１０２−１を所定の場所に戻し、配列の最端部となっているショッピングカート１０２−２の連結器具１０１−２を使用後のショッピングカート１０２−１の連結器具１０１−１に連結する（ステップＳ１００１）。
【００５０】
連結された複数のショッピングカート１０２−１、１０２−２、１０２−３の先頭のショッピングカート１０２−３の連結器具１０１−３は、ケーブル１０９、モデム１０４を介して、サーバ１０５、電源１０６に接続される（ステップＳ１００２）。
【００５１】
夜間等のショッピングカート１０２を使用していない時間帯に、電源１０６から、連結器具１０１−１、１０１−２、１０１−３により連結された全ての携帯型端末１０３−１、１０３−２、１０３−３に電源供給を行う（ステップＳ１００３）。電源１０６には、指定時間になるまで、主電源が入らないように、タイマーを設置する。
【００５２】
電源供給と同様に、夜間等のショッピングカート１０２を使用していない時間帯に、サーバ１０５の制御部３０１は、連結された全ての携帯型端末１０３−１、１０３−２、１０３−３にデータ送信を行う（ステップＳ１００４）。また、サーバ１０５の制御部３０１は、連結されている任意の携帯型端末１０３にデータ送信を行う。転送されるデータは、携帯型端末１０３において提供する各種情報や、更新されたアプリケーションプログラム等である。
【００５３】
以上説明したように、本発明の実施の形態によれば、データを配信するサーバ１０５と、ショッピングカート１０２に備えられる携帯型端末１０３と、が連結器具１０１を介して接続され、電源１０６と、携帯型端末１０３と、が連結器具１０１を介して電気的に接続される電源及び情報供給システム１００において、連結器具１０１は、携帯型端末１０３に電源供給を行う為の電源ケーブル１０７と、携帯型端末１０３とサーバ１０５間でデータ転送を行う為の通信ケーブル１０８と、を有し、電源ケーブル１０７の端に電源コネクタ１１２、１２２と、通信ケーブル１０８の端に通信コネクタ１１１、１２１を備え、連結器具１０１により、連結された全ての携帯型端末１０３に電源供給を行い、且つ、サーバ１０５から全ての携帯型端末１０３にデータを送信する。
【００５４】
これにより、ショッピングカートに携帯型端末を取り付けた状態で、一括して電源供給と、データ転送を行うことが可能となり、担当者の負荷がかからず、使用されていない夜間等に一括して電源供給することにより、電気料金が夜間料金となり、コストが削減可能となる。
【００５５】
尚、本実施の形態では、ショッピングカートに連結器具及び携帯型端末を備えたが、これに限らず、例えば、製造工場における製品搬送時において、積みおろしすべき荷物の搬送カートに適用することも可能である。
【００５６】
以上、添付図面を参照しながら、本発明に係る連結器具、電源及び情報供給システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００５７】
【図１】本発明の本実施の形態に係る電源及び情報供給システム１００の概略構成を示す図
【図２】ショッピングカート１０２の外観を示す図
【図３】ショッピングカート１０２−１、１０２−２、１０２−３の連結を示す図
【図４】本実施の形態に係る連結器具１０１の外観斜視図
【図５】受取コネクタ部１１０の透視斜視図
【図６】図５のＸ−Ｘによる通信用コネクタ１１１の断面図
【図７】通信用コネクタ１１１と通信用コネクタ１２１の接合を示す断面図
【図８】携帯型端末１０３のハードウェア構成と携帯型端末１０３と連結器具１０１との接続を示す図
【図９】サーバ１０５のハードウェア構成図
【図１０】携帯型端末１０３への電源及び情報供給処理の処理手順を示すフローチャート
【符号の説明】
【００５８】
１００………電源及び情報供給システム
１０１（１０１−１、１０１−２、１０１−３）………連結器具
１０２（１０２−１、１０２−２、１０２−３）………ショッピングカート
１０３（１０３−１、１０３−２、１０３−３）………携帯型端末
１０４、１１４………モデム
１０５………サーバ
１０６………電源
１０７、１１７………電源ケーブル
１０８、１１８………通信ケーブル
１０９、１３０………ケーブル
１１０………受取コネクタ部
１１１、１２１………通信用コネクタ
１１２，１２２………電源コネクタ
１１５………ロック解除凸部
１２０………出力コネクタ部
１２３………絶縁素材
１２４………ロック穴部
１３１………絶縁体
１３２………金属板
１３３………ピンジャック
１３４………バネ
１３５………凹部
２０１、３０１………制御部
２０２、３０２………記憶部
２０４、３０４………通信制御部
２０７………電源制御部
２０８………バッテリー
【図１】
2007089924.tif 000003
【図２】
2007089924.tif 000004
【図３】
2007089924.tif 000005
【図４】
2007089924.tif 000006
【図５】
2007089924.tif 000007
【図６】
2007089924.tif 000008
【図７】
2007089924.tif 000009
【図８】
2007089924.tif 000010
【図９】
2007089924.tif 000011
【図１０】
2007089924.tif 000012